【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
信号の送受信方法であって、前記方法は、
信号をアレイの別々の素子に入力するために、前記信号を２つ以上の部分に分割するステップと、
前記アレイの各別々の素子を通じた送信のために、前記信号の各部分を異なる符号でそれぞれ符号化するステップと、
前記信号の符号化された各部分を、前記アレイの対応する別々の素子を通じて送信するステップと、
前記信号の前記符号化された部分を、受信機側にある少なくとも１つの素子で受信するステップと、
前記信号の前記符号化された部分を復号するステップと、
前記信号の復号された部分を加算し、完全な受信信号を形成するステップとを備える、方法。
【請求項２】
前記各別々の素子を通じた送信のために信号の各部分を符号化するステップは、前記信号の各部分を、互いに直交する符号化された波形でそれぞれ符号化するステップをさらに含む、請求項１に記載の方法。
【請求項３】
前記復号するステップにおいて、相関器が、前記受信機側にある前記少なくとも１つの素子から受信された信号を復号するステップを含む、請求項１または２に記載の方法。
【請求項４】
信号を送受信するための多重符号アレイであって、
前記信号を受信し、低電力信号に分割するように構成される給電部と、
前記多重符号アレイの送信機側にある個別の素子とを備え、各低電力信号は、異なる信号でそれぞれ符号化され、前記多重符号アレイの各個別の素子を通じて送信され、
受信機側にある少なくとも１つの素子をさらに備え、前記少なくとも１つの素子は、すべての前記低電力信号を受信し、
復号された低電力信号を加算し、完全な受信信号を形成するように構成される受信機をさらに備える、多重符号アレイ。
【請求項５】
前記異なる符号は、互いに直交する符号化された波形をさらに含み、前記異なる符号は、波形発生器によって供給される、請求項４に記載のアレイ。
【請求項６】
前記受信機の外部に位置する相関器をさらに備え、前記相関器は、前記受信機側にある前記少なくとも１つの素子から受信された前記低電力信号を復号し、復号された低電力信号を前記受信機に供給するように構成される、請求項４または５に記載のアレイ。
【請求項７】
前記アレイは、アクティブアンテナアレイをさらに含み、
レーダーシステム中で該アクティブアンテナアレイを用いるステップをさらに備え、かつ
前記信号の符号化された部分を受信機側にある少なくとも１つの素子で受信するステップは、目標物体から反射された前記信号の前記符号化された部分を、前記アクティブアンテナアレイにある別々の受信機素子によって受信するステップをさらに含む、請求項１ないし３の何れか一項に記載の方法。
【手続補正２】
【補正対象書類名】明細書
【補正対象項目名】００４５
【補正方法】変更
【補正の内容】
【００４５】
上述の実施例は、開示を説明するが、制限するものではない。この開示の本質に従って数多くの変形および変更が可能であることも理解されるべきである。したがって、この開示の範囲は、以下の特許請求の範囲によってのみ規定される。
また、本願は以下に記載する態様を含む。
（態様１）
信号の送受信方法であって、前記方法は、
信号をアレイの別々の素子に入力するために、前記信号を２つ以上の部分に分割するステップと、
前記アレイの各別々の素子を通じた送信のために、前記信号の各部分を異なる符号でそれぞれ符号化するステップと、
前記信号の符号化された各部分を、前記アレイの対応する別々の素子を通じて送信するステップと、
前記信号の前記符号化された部分を、受信機側にある少なくとも１つの素子で受信するステップと、
前記信号の前記符号化された部分を復号するステップと、
前記信号の復号された部分を加算し、完全な受信信号を形成するステップとを備える、方法。
（態様２）
前記アレイは、アクティブアンテナアレイまたは従来のフェーズドアレイをさらに含む、態様１に記載の方法。
（態様３）
前記信号を分割するステップは、コーポレイト給電システムを用いるステップをさらに含む、態様１に記載の方法。
（態様４）
前記受信機側にある前記少なくとも１つの素子は、複数の別々の受信機素子をさらに含み、各別々の受信機素子は、前記信号の前記符号化された部分すべてを受信する、態様１に記載の方法。
（態様５）
前記各別々の素子を通じた送信のために信号の各部分を符号化するステップは、前記信号の各部分を、互いに直交する符号化された波形でそれぞれ符号化するステップをさらに含む、態様１に記載の方法。
（態様６）
前記アレイは、超音波、光学、または赤外線送受信機アレイをさらに含む、態様１に記載の方法。
（態様７）
通信システムまたはレーダーシステム中で、前記アクティブアンテナアレイを用いるステップをさらに備える、態様２に記載の方法。
（態様８）
前記信号の符号化された部分をレーダーシステムの受信機側にある少なくとも１つの素子で受信するステップは、目標物体から反射された前記信号の前記符号化された部分を、前記アクティブアンテナアレイにある別々の受信機素子によって受信するステップをさらに含む、態様７に記載の方法。
（態様９）
前記通信システム中の前記少なくとも１つの受信機素子は、外部受信機とともに外部に位置する、態様７に記載の方法。
（態様１０）
信号を送受信するための多重符号アレイであって、
前記信号を受信し、低電力信号に分割するように構成される給電部と、
前記多重符号アレイの送信機側にある個別の素子とを備え、各低電力信号は、異なる信号でそれぞれ符号化され、前記多重符号アレイの各個別の素子を通じて送信され、
受信機側にある少なくとも１つの素子をさらに備え、前記少なくとも１つの素子は、すべての前記低電力信号を受信し、
復号された低電力信号を加算し、完全な受信信号を形成するように構成される受信機をさらに備える、多重符号アレイ。
（態様１１）
前記受信機側にある前記少なくとも１つの素子は、複数の別々の受信機素子をさらに含む、態様１０に記載のアレイ。
（態様１２）
制御電子回路および電力調整ブロックと、
アクティブアンテナアレイまたは従来のフェーズドアレイと、
超音波、光学、または赤外線送受信機アレイとをさらに備える、態様１０に記載のアレイ。
（態様１３）
前記アクティブアンテナアレイは、通信システム中でまたはレーダーシステム中で用いるために構成される、態様１２に記載のアレイ。
（態様１４）
前記通信システム中の前記受信機側にある前記少なくとも１つの素子は、外部受信機とともに外部に位置する、態様１３に記載のアレイ。
（態様１５）
前記レーダーシステム中の前記受信機側にある前記少なくとも１つの素子は、前記アクティブアンテナアレイ自身の一部分である、態様１２に記載のアレイ。
（態様１６）
前記異なる符号は、互いに直交する符号化された波形をさらに含み、前記異なる符号は、波形発生器によって供給される、態様１０に記載のアレイ。
（態様１７）
前記受信機の外部に位置する相関器をさらに備え、前記相関器は、前記受信機側にある前記少なくとも１つの素子から受信された前記低電力信号を復号し、復号された低電力信号を前記受信機に供給するように構成される、態様１０に記載のアレイ。
（態様１８）
少なくとも１つの送受信（Ｔ／Ｒ）モジュールをさらに備え、前記異なる符号は、前記少なくとも１つのモジュールに内蔵される、態様１０に記載のアレイ。
（態様１９）
前記受信機は、前記受信機側にある前記少なくとも１つの素子から受信される前記低電力信号を復号するための符号化された波形を格納するための記憶装置をさらに含む、態様１０に記載のアレイ。